Podtech/llm-jp-corpus-v4-ja_patent huggingface dataset:
(57)【要約】      （修正有）【課題】粒径の大きいコーヒー粉末が残りにくいコーヒーミルを提供する。【解決手段】コーヒーミル本体１内部に電子回路により構成されたタイマー６をモーター５の電源制御として使用する。最初に一定時間モーターの電源を入れることによりある程度コーヒー豆を破砕する。その後、電源を切りカッター４を停止させる。カッターの停止後に粒径の大きいコーヒー粉末は重量の違いにより下に集まる。集まった後にカッターを回転させることで粒径の大きなコーヒー粉末が破砕される。この動作の繰り返しにより粒径の大きなコーヒー粉末が減少する。【選択図】図２
0003164312.tif 000002
【実用新案登録請求の範囲】
【請求項１】
コーヒーミル本体内部に電子回路により構成されたタイマーを設け、モーターの電源を自動で制御することにより粒径の大きいコーヒー粉末を減少させることを特徴とするコーヒーミル。
【請求項２】
電子回路により構成されたタイマーの一連の動作が実行中であることは、発光ダイオード等の点滅または点灯により使用者に知らせることを特徴とするコーヒーミル。
【請求項３】
電子回路により構成されたタイマーの一連の動作が終了したことは、発光ダイオード等の消灯及び電子音の発生などにより使用者に知らせることを特徴とするコーヒーミル。
【考案の詳細な説明】
【技術分野】
【０００１】
本考案は、モーターの電源制御に電子回路で構成されたタイマーを設けた、コーヒーミルに関するものである。
【背景技術】
【０００２】
カッターをモーターにより回転させる方式のコーヒーミルは電源スイッチを押している間のみモーターが回転する。
【先行技術文献】
【特許文献】
【０００３】
【特許文献１】登録実用新案第３１３５３７７号
【考案の概要】
【考案が解決しようとする課題】
【０００４】
カッターをモーターにより回転させる方式の場合、回転停止後に粒径の大きいコーヒー粉末が残る場合がある。コーヒー粉末を一度取り出した後、粒径の大きいコーヒー粉末を選り分けて再度コーヒーミルで粉砕させることは余分な手間や時間がかかる。または、粒径の大きいコーヒー粉末を少なくするためモーターの回転時間を長くすると結果としてコーヒー粉末が小さくなりすぎる場合がある。
【課題を解決するための手段】
【０００５】
本考案のコーヒーミルは、コーヒー豆を本装置に入れた後、最初に数秒から数１０秒間モーターの電源を入れることによりある程度コーヒー豆を破砕する。その後電源を切りモーターの回転を止める。モーターの停止後に粒径の大きいコーヒー粉末は重量の違いにより下のほうに集まる。集まった後にモーターの電源を入れることにより粒径の大きなコーヒー粉末が破砕される。この動作を数回繰り返すことにより粒径の大きなコーヒー粉末を減少させる。
この一連の動作を電子回路により構成されたタイマーによってモーターの電源を制御することにより問題点を解決している。
【考案の効果】
【０００６】
粒径の大きいコーヒー粉末が減少することにより再度コーヒーミルで粉砕させる余分な手間や時間が不要となる。また、粒径が小さくなりすぎることが無くばらつきが減少するのでコーヒーの味と香りをより均一に引き出すことが可能である。
【図面の簡単な説明】
【０００７】
【図１】図１は電子回路により構成されたタイマーについてモーターの電源を入り切りするタイミングを示すグラフである。
【図２】図２は本コーヒーミルの断面図である。
【考案を実施するための形態】
【０００８】
コーヒーミルの蓋を開けコーヒー豆を本体のコーヒー豆収納室に入れる。蓋はネジ式になっており蓋を閉めて少し蓋を回すことで蓋を固定する。
この後、コーヒーミルのＡＣ１００Ｖ電源プラグを家庭用コンセントに差し込む。蓋を閉めたときは蓋センサーが蓋の有ることを検知するのでモーターは回転可能となる。なお、蓋を開けたときは蓋センサーが蓋の無いことを検知するのでモーターは回転しない。
起動スイッチを一度押下することで電子回路により構成されたタイマーが起動しモーターの回転・停止の一連の動作を開始する。開始後は発光ダイオード等が点滅または点灯してタイマーの動作中であることを使用者に知らせる。タイマーの終了後にモーターは回転を停止し発光ダイオード等が消灯する。また、電子音等の発生により動作が終了したことを使用者に知らせる。
コーヒーミルのＡＣ１００Ｖ電源プラグを家庭用コンセントから抜き、蓋を開けてコーヒー粉末を取り出す。
【実施例】
【０００９】
以下、添付図面に従って一実施例を説明する。１は耐久性のプラスチックス等適宜素材にて一体化形成されたコーヒーミル本体、３はコーヒー豆を収納するコーヒー豆収納室で蓋２にて開閉する。４はコーヒー豆を破砕するためのカッターであり５のモーターにより回転する。モーター５は６の電子回路により構成されたタイマーによって電源を制御される。モーター５及び電子回路により構成されたタイマー６の電源は８のＡＣ１００Ｖ電源プラグから供給される。９は蓋センサーであり蓋が閉まっているときはモーターが回転可能であり、蓋が開いているときモーターは回転不可能である。
【００１０】
６の電子回路により構成されたタイマーは７の起動スイッチを入れることによりモーター５の電源制御の動作を開始する。６のタイマーが動作中は１０の発光ダイオード等の発光体が点滅または点灯する。６のタイマーが動作を終了するとモーター５は停止し１０の発光ダイオード等の発光体は消灯する。また、１１のスピーカー等の発音体による電子音などによりタイマー６の動作が終了したことを使用者に知らせる。８のＡＣ１００Ｖ電源プラグを家庭用コンセントから抜き、２の蓋を開けてコーヒー粉末を取り出す。
【符号の説明】
【００１１】
１    コーヒーミル本体
２    蓋
３    コーヒー豆収納室
４    カッター
５    モーター
６    電子回路により構成されたタイマー
７    起動スイッチ
８    ＡＣ１００Ｖ電源プラグ
９    蓋センサー
１０    発光ダイオード等の発光体
１１    スピーカー等の発音体
【図１】
0003164312.tif 000003
【図２】
0003164312.tif 000004
【手続補正書】
【提出日】平成22年9月24日(2010.9.24)
【手続補正１】
【補正対象書類名】実用新案登録請求の範囲
【補正対象項目名】全文
【補正方法】変更
【補正の内容】
【実用新案登録請求の範囲】
【請求項１】
コーヒーミル本体内部に電子回路により構成されたタイマーを設け、モーターの電源を自動で制御し、電源の入り切りを数回繰り返す。はじめに数秒から数１０秒間モーターの電源を入れることによりカッターが回転し、ある程度コーヒー豆を破砕する。その後電源を切りモーターの回転を止める。モーターの電源停止後に粒径の大きいコーヒー粉末は重量の違いにより下のほうに集まる。集まった後にモーターの電源を入れることにより粒径の大きなコーヒー粉末が破砕される。この動作を数回繰り返すことにより粒径の大きなコーヒー粉末を減少させる。この一連の動作を電子回路により構成されたタイマーによってモーターの電源を制御することにより粒径の大きいコーヒー粉末を減少させることを特徴とするコーヒーミル。
(57)【要約】      （修正有）【課題】衝撃や熱損傷を与えることなく、石を留められる身飾り品を提供する。【解決手段】本体に石を留めるくぼみを作り、その石の周りに透明な紫外線硬化樹脂を流し込み、樹脂の硬化を利用し石を本体に取り付ける。【選択図】図１
0003164350.tif 000002
【実用新案登録請求の範囲】
【請求項１】
本体素材の性質により、石留め加工が出来ない素材本体に対し溝を作り、その溝に石をはめ込み、透明な紫外線硬化樹脂を流し込み硬化させる事により取り付ける、全く新しい石留めをした身飾り品。
【考案の詳細な説明】
【技術分野】
【０００１】  本考案は石をセットするにあたり、本体に対し石留加工する事無く設けた溝に石をセットし、本体形状と透明な樹脂材の紫外線硬化により石を留めたものである。
【背景技術】
【０００２】  上部からは爪やレールなどが無く、素材本体の加工に依存せずに石を留める為に開発。
【考案の開示】
【考案が解決しようとする課題】
【０００３】  本体に爪や玉を作らずに本体には一切石留め加工せず損傷を与える事無く、石を止める事が出来るよう、透明な樹脂材の紫外線硬化を使用し解決しようとする物である。
【課題を解決するための手段】
【０００４】  本体に石が入れられるように始めにくぼみを入れ、樹脂を流すための溝を造り透明な樹脂材の紫外線硬化を利用することにより、本体に衝撃や熱による損傷を与える事無く、その石が本体に留められる事を可能にしている。
【考案の効果】
【０００５】  石を留める事が出来なかった素材に対し、石を留める事が出来た。
【考案を実施するための最良の形態】
【０００６】  本体に石をセットするくぼみを作り、溝に透明な樹脂を流し透明樹脂材の紫外線硬化を利用して石を固定している。
【実施例】
【０００７】  以下図面に従って説明します。１、は石留め加工できない素材本体で２、はその本体に留める石。３、は溝、くぼみに流し込んだ透明な樹脂。
【図面の簡単な説明】
【０００８】
【図１】  本考案に関る透明な樹脂の紫外線硬化を利用して石を本体に留めた身飾り品の断面図の一例。
【符号の説明】
【０００９】１、  本体
２、  留めようとする石
３、  透明な紫外線硬化樹脂及びセットする溝
【図１】
0003164350.tif 000003
(57)【要約】      （修正有）【課題】電気機器であるリモコンをラップで巻くことにより、手あかの汚れや、劣化、ちょっとした水に対し防水できるようにするシート状ラップを提供する。【解決手段】リモコン専用ラップとして、ラップに抗菌作用のある銀系無機抗菌剤とＵＶカット作用のある二酸化チタンの微粉末を配合することによって、手あかの汚れや、太陽光による劣化、水に対する電子機器の破損を防ぐことができる。【選択図】図２
0003164341.tif 000002
【実用新案登録請求の範囲】
【請求項１】
電気機器のリモコンを保護するための樹脂からなる矩形の、シート状のラップであって、このシートに抗菌剤が配合されておりまた、また二酸化チタンのＵＶカット剤が配合されているリモコン用のシート状のラップ。
【請求項２】
前記矩形のシート状ラップの幅が１０ｃｍ〜２０ｃｍである請求項１記載のリモコン用のシート状のラップ。
【考案の詳細な説明】
【技術分野】
【０００１】  本考案は、ラップに抗菌剤やＵＶカット（二酸化チタン）成分を配合し、リモコンをラップするためのシート状ラップである。
【背景技術】
【０００２】  今まで、ラップと言えば、食品などを包んだり、皿に盛ってある食品の上に、かけてレンジで温めたりしていた。
【考案の概要】
【考案が解決しようとする課題】
【０００３】  ラップは包んだり、温めたりするものだが、それでリモコンをラップしようとするとリモコンの下の方がゴワゴワしリモコンが安定しない。そこでリモコンの幅を短くし、これによってリモコンにラップがしやすくなり、さらに電気機器に必要な成分を配合しリモコン専用のラップが可能になり前述の解決しようとするものである。
【課題を解決するための手段】
【０００４】  本考案は、ラップという塩化ビニル樹脂に、抗菌の作用のある銀系無機抗菌剤とＵＶカットの作用のある二酸化チタンを配合し、今まで食品にしか使われていなかったラップを電気機器であるリモコンに応用し、且つラップの幅を１０ｃｍ〜２０ｃｍにすることによって、無駄なラップがなくなり、リモコンを適度な長さで巻けることにより問題を解決している。
【考案の効果】
【０００５】  前述の様に、本考案のリモコン用のシート状のラップは、リモコンにラップが出来ることは勿論、リモコンをラップで巻くことにより、リモコンの太陽光による劣化や、ちょっとした水の防水効果として役立つ。
【図面の簡単な説明】
【０００６】
【図１】ラップと、それを収納する箱
【図２】リモコンとラップの巻き方
【図３】ラップで巻いた後のリモコンの状態、ａが表、ｂが裏
【考案を実施するための形態】
【０００７】  ラップの形状は今までのとは、変わらないが、幅が１０ｃｍ〜２０ｃｍと短くなり、リモコンを巻きやすいようになっている。
【実施例】
【０００８】  以下、添付図面に従って一実施例を説明する。図面に示すようにラップ本体１が箱２に収納されている。使用するときには、箱２から１を取り出して、適当な大きさに切り取って使用する。このラップ及び使用方法は従来のラップと同じである。【０００９】  切り取ったラップ１は図２に示す様に、リモコン本体３をラップ１によってＡＢＣＤの順に巻く。【００１０】  図３は、出来上がった状態、ａは表ｂは裏を示す。
【産業上の利用可能性】
【００１１】  本考案のリモコン用のシート状のラップは、食品業界でしか使われてこなかったラップに抗菌性を持ち、且つＵＶカットによって太陽光による劣化を防ぐ効果があり電気機器業界にもシェアを伸ばせるといったラップ業界のシェア拡大性がある。
【符号の説明】
【００１２】１  矩形のシート状のラップ
２  ラップ収納箱
３  リモコン
ＡＢＣＤ  巻く順番
ａ  表
ｂ  裏
【図１】
0003164341.tif 000003
【図２】
0003164341.tif 000004
【図３】
0003164341.tif 000005
(57)【要約】      （修正有）【課題】血行促進効果によって温感だけでなく、人体に好ましい効果がある密封容器入り温感材を提供する。【解決手段】粉状の唐辛子及び／又は粒状の唐辛子を粘着材に混練してなる温感材をキャップによって密封される容器内に充填して密封した密封容器入り温感材。唐辛子の成分であるカクサイシンによる血行促進効果によって温感だけでなく、人体に好ましい効果がある密封容器入り温感材を実現する。【選択図】図１
0003164345.tif 000002
【実用新案登録請求の範囲】
【請求項１】
粉状の唐辛子及び／又は粒状の唐辛子を粘着材に混練してなる温感材をキャップによって密封される容器内に充填して密封したことを特徴とする密封容器入り温感材。
【請求項２】
前記粘着材が、クリーム、乳液、油液のいずれか一種であることを特徴とする請求項１記載の密封容器入り温感材。
【請求項３】
前記キャップによって密封される容器がチューブ又はビンであることを特徴とする請求項１又は２記載の密封容器入り温感材。
【考案の詳細な説明】
【技術分野】
【０００１】  この考案は密封容器に収納されている温感材に関する。
【背景技術】
【０００２】  従来から、生体に対して手軽に気持ちのよい加温を実現することを目的にして種々の温感材が提案されている。【０００３】  例えば、特許文献１、２には、保水性を有する含水ゲル基材を使用した温感材及び冷感材が提案されている。
【先行技術文献】
【０００４】
【特許文献】
【特許文献１】特開２００３−１９１５７号公報
【特許文献２】特開２００３−１２６１３７号公報
【考案の概要】
【考案が解決しようとする課題】
【０００５】  この考案は、血行促進効果によって温感だけでなく、人体に好ましい効果がある密封容器入り温感材を提案することを目的にしている。
【課題を解決するための手段】
【０００６】  前記目的を達成するため本願は以下の考案を提案するものである。【０００７】  請求項１記載の考案は、
粉状の唐辛子及び／又は粒状の唐辛子を粘着材に混練してなる温感材をキャップによって密封される容器内に充填して密封したことを特徴とする密封容器入り温感材である。【０００８】  請求項２記載の考案は、
前記粘着材が、クリーム、乳液、油液のいずれか一種であることを特徴とする請求項１記載の密封容器入り温感材である。【０００９】  請求項３記載の考案は、
前記キャップによって密封される容器がチューブ又はビンであることを特徴とする請求項１又は２記載の密封容器入り温感材である。
【考案の効果】
【００１０】  この考案によれば、唐辛子の成分であるカクサイシンによる血行促進効果によって温感だけでなく、人体に好ましい効果がある密封容器入り温感材を提供することができる。【００１１】  温感材として従来使用されていた金属の酸化熱を利用するものは低温火傷を引き起こすことがあり、また、廃棄物処理の問題があった。本考案の温感材によれば低温火傷の危険性は無くなり、また、廃棄物処理の問題もなくなる。
【図面の簡単な説明】
【００１２】
【図１】本考案の密封容器入り温感材の一例を説明する斜視図であって、（ａ）はキャップによって容器が密封されている状態の斜視図、（ｂ）はキャップを外した状態の斜視図。
【図２】本考案の密封容器入り温感材の他の例を説明する斜視図であって、（ａ）はキャップによって容器が密封されている状態の斜視図、（ｂ）はキャップを外した状態の斜視図。
【考案を実施するための形態】
【００１３】  以下、添付図面を参照して本考案の好ましい実施例を説明する。
【００１４】（密封容器内に充填する温感材の調製）
唐辛子を粉状、あるいは、粒状にし、クリーム、乳液、油液などの粘着材に混ぜ、混練して温感材を調製する。前記のクリーム、乳液、油液などは、本考案の密封容器入り温感材を人体に塗布して使用する際、唐辛子の成分であるカクサイシンが人体に吸収される効率を良くするので好ましい。
【００１５】（密封容器への充填）
前記のように準備した温感材をキャップによって密封される容器内に充填する。例えば、図１図示のようにキャップ２によって開口部４が開閉される容器３（例えば、化粧品などによく使用される広口のビン）内に充填する。あるいは、図２図示のようにキャップ６によって開口部８が開閉されるチューブ状の容器７内に充填する。
【００１６】  充填が完了した後、キャップ２、６によって開口部４、８を封鎖することにより、この考案の密封容器入り温感材とすることができる。本考案の温感材はこのようにして調製、製作することができるので、低コストで提供することができ、また、簡単、手軽に使用することができる。
【００１７】（密封容器入り温感材の使用）
キャップ２、あるいはキャップ６を容器３、７から取り外し、所定量の温感材を取り出して、人体の手首、足首、足の裏、等、温感を与えたい箇所に塗布する。必要に応じて、この上から粘着シートなどによって覆って使用することができる。あるいは、粘着シートなどに塗布して人体に展着して使用することができる。
【００１８】  これによって、唐辛子の成分であるカクサイシンによる血行促進効果により人体に温感を付与するだけでなく、人体に好ましい効果を与えることができる。唐辛子の温感効果は藁靴の中に唐辛子を入れて利用されていたように古から知られているものである。本考案はこれを現代生活に利用できるようにしたものである。
【００１９】  本考案の密封容器入り温感材は、唐辛子を利用して温熱効果を発揮させるものであるので、低温火傷の危険性は無く、温熱効果を長時間にわたって発揮させることができる。
【符号の説明】
【００３８】１  密封容器入り温感材
２  キャップ
３  容器
４  開口部
５  密封容器入り温感材
６  キャップ
７  チューブ状の容器
８  開口部
【図１】
0003164345.tif 000003
【図２】
0003164345.tif 000004
(57)【要約】      （修正有）【課題】防雪柵の建て込み、収納時に作業用の持込機材を少なくし、能率よく、安全に作業を行うことができる防雪板兼用作業台システムを提供する。【解決手段】各主柱の下部１にＳ字型の腕木２が取り付けてあり、隣り合った２本の腕木を差し渡すように作業用板３の取り付けピン４が腕木に開けられた長溝に嵌め込んで懸垂している。長溝の形状は、溝の奥の方に落とし部を作る。防雪板７は折り畳まれて主柱の下部に収納してある。この場合懸垂している作業用板３は防雪板７を保護する保護板の役割をしている。作業をする場合は、作業用板３を引き起こし、作業用板の横に取り付けてある吊り棒８を主柱のフック９に引っ掛けて動かないように作業用板を固定する。また、防雪板を吊り上げ、防雪柵の設定が終了した段階で作業用板を下げて取り付けピンの位置を腕木の溝の落とし部まで送り込み、作業用板は防雪柵の下部の防雪板として機能させる。【選択図】図２
0003164340.tif 000002
【実用新案登録請求の範囲】
【請求項１】
盛土の法面に立てられている防雪柵の各主柱下部の基礎から５０ｃｍ〜１ｍの高さのところに、長さ５０ｃｍ程の腕木を取り付けてあり、隣り合った２本の腕木の間を渡して、その腕木の先には幅５０ｃｍ程、長さは１．８ｍ程ある丈夫な作業用板が取り付けてあり、作業台として使用するときは、作業用板を引き起こし、作業用板を水平位置で留め金具により主柱に固定して、人が作業板の上に乗って作業をしても安定であるようになっており、作業台として使用しないときは、作業用板は防雪柵の主柱に沿って吊り下げて、最下部の防雪板の役割を担うようにしてあることを特徴とする防雪板兼用作業台システム。
【考案の詳細な説明】
【技術分野】
【０００１】  降雪地帯における冬期間の交通安全確保のために設置する防雪柵の保守点検に必要な部材に関する。
【背景技術】
【０００２】  降雪地帯に於いて積雪時期に防雪柵は、雪害から交通を守るため主柱を建て込み防雪板をセットして使用する。しかるに雪の降らない時期には、立ち上がっている防雪柵は視界をさえぎって人に閉塞感を与えるので、取り外すことが望ましい。【０００３】  そこで通常、シーズンオフには防雪板を折り畳んで下に下ろし、主柱を倒し、次のシーズンまでその場所に収納しておき、必要になった時再び建て込んでセットする方法でがとられている。防雪板の畳み方、あるいは建て込み方には色々あるが、いずれにしても作業員が現場で防雪柵１スパンずつ処理していかなければならなかった。【０００４】  その作業は柵本体に付属器具を取り付け、防雪板の収納主柱を倒す作業等を行うのであるが、防雪柵は道路の盛土の法面に設置されていることが多いので、斜めの法面上で作業を行わなければならなかった。【０００５】  現場は足場が悪く、機材の持ち込みが困難であったり、作業能率が上がらなかったり、時には危険が伴うことさえあった。したがって、できることなら、安定した足場の上で作業をすることが望ましかった。かといって足場を持ち込んで作業現場に組み立てることは現実的ではなかった。
【考案の開示】
【考案が解決しようとする課題】
【０００６】  防雪柵の建て込み、収納時に作業用の持込機材を少なくし、能率よく、安全に作業を行うための方法が求められている。
【課題を解決するための手段】
【０００７】  本考案は上記問題に鑑みてなされたものであり、防雪柵の下部に、引き起こして固定すれば、作業台になる部材を予め取り付けておく。
【考案の効果】
【０００８】  防雪柵の下部に作業台としてセットできる作業用板が取り付けてあるので、それを引き起こして固定すれば、安定した場所で安全に作業が執り行える。【０００９】  また作業台が必要でないときには作業用板は垂直に吊り下げてあり、防雪柵を立ち上げてある時は防雪板として、防雪柵を必要としない時は折り畳まれて収納してある防雪板を保護する保護板として機能する。かつ防雪柵の下部の防雪板は不要になるので、コストの削減、防雪板組み立ての手間が軽減される。
【考案を実施するための最良の形態】
【００１０】  防雪柵の各支柱下部の基礎から５０ｃｍ〜１ｍの高さのところに、長さ５０ｃｍ程の腕木を取り付け、隣り合った２本の腕木の間にまたがって、その腕木の先に幅約５０ｃｍで長さは１．８ｍ程ある丈夫な作業用板が取り付けてあり、通常作業用板は防雪柵の主柱に沿って垂直に吊り下げてあり、必要に応じては、作業用板を水平位置に引き起こし、人が作業用板の上に乗って作業をしても安定であるように留め金具で主柱に固定できるようにしておく。
【実施例】
【００１１】  本考案の実施例を図面に基づいて説明すると、図１は各主柱の下部１にＳ字型の腕木２が取り付けてあり、隣り合った２本の腕木を差し渡すように作業用板３の取り付けピン４が腕木に開けられた長溝５に嵌め込んで懸垂している。長溝の形状は図１ｂに示してあるように溝の奥のほうは落とし部６が作ってある。防雪板７は折り畳まれて主柱の下部に収納してある。この場合懸垂している作業用板３は防雪板７を保護する保護板の役割をしている。【００１２】  作業をする場合は図２に示すように作業用板３を引き起こし、作業用板の横に取り付けてある吊り棒８を主柱のフック９に引っ掛けて動かないように作業用板を固定する。【００１３】  また図３に示すように、防雪板を吊り上げ、防雪柵の設定が終了した段階で作業用板を下げて取り付けピンの位置を腕木の溝の落とし部６まで送り込み、作業用板は防雪柵の下部の防雪板として機能するようになっている。
【産業上の利用可能性】
【００１４】  以上述べたように、本考案の防雪板兼用作業台システムによれば防雪柵自身の一部を作業台として使用できるので、作業の安全性は向上する。かつ作業台として使用しない時は防雪板あるいは保護板として使用できるので合理的である。
【図面の簡単な説明】
【００１５】
【図１】ａ防雪板を折り畳んで防雪柵下部に収納した状況を示す概念図。ｂ腕木の形状を表す概念図
【図２】作業用板をセットした状況を示す概念図。
【図３】防雪柵が設定されている状況を示す概念図。
【符号の説明】
【００１６】１  主柱
２  腕木
３  作業用板
４  取り付けピン
５  腕木に開けられた長溝
６  落とし部
７  防雪板
８  吊り棒
９  フック
【図１】
0003164340.tif 000003
【図２】
0003164340.tif 000004
【図３】
0003164340.tif 000005
(57)【要約】      （修正有）【課題】駆動力を利用して、この駆動力を支援するための支援駆動力を発生させる自動車ハイブリッド装置を提供する。【解決手段】車輪１の内側において、駆動軸３並びに発電機４及び電気モーター５の三者を連動する構造とし、これら発電機４及び電気モーター５の各本体にはそれぞれ配線接続端子７を設けこの間に電気配線２を施す。駆動力が駆動軸３に伝達されると同時に発電機４で発電した電力は電気配線２を通じて電気モーター５に供給され、この電気モーター５で発生した自力回転力が支援駆動力となり、これを駆動軸３に連動させる。【選択図】図１
0003164331.tif 000002
【実用新案登録請求の範囲】
【請求項１】
駆動軸（３）並びに発電機（４）及び電気モーター（５）の三者を連動する構造とし、これら発電機（４）及び電気モーター（５）の各本体にはそれぞれ配線接続端子（７）を設けてこの間に電気配線（２）を施した事を特徴とする自動車ハイブリッド装置。
【考案の詳細な説明】
【技術分野】
【０００１】  駆動力を利用して、この駆動力を支援するための駆動力（以下、支援駆動力という）を発生させる自動車ハイブリッド装置に関する。
【背景技術】
【０００２】  従来は、ガンリンエンジンと電気モーターの組み合わせによる自動車ハイブリット装置はあったが、駆動力を利用して発生した支援駆動力と組み合わたものは無かった。
【考案の概要】
【考案が解決しようとする課題】
【０００３】  駆動力を利用して発電を行い、この電力で電気モーターを回転させて支援駆動力を発生させる構造の自動車ハイブリッド装置の開発を目的とする。
【課題を解決するための手段】
【０００４】  車輪の内側において、発電機及び電気モーターを一対とし、この各回転子の各回転軸については、駆動軸を取り込んでこれと連動する構造とし、これら発電機及び電気モーターの各本体にはそれぞれ配線接続端子を設け、この間に電気配線を施した事により、駆動力が駆動軸に伝達されると同時に発電機で発電した電力は電気配線を通じて電気モーターに供給され、これの自力回転力が支援駆動力となり、駆動軸に連動する事により自動車ハイブリッド装置が成立し問題点は解決される。【０００５】  上記の、発電機及び電気モーターについては、発電電動機のようにこれらを一体化したものにして、これを装着する事は任意である。【０００６】  また、この発電機及び電気モーターの回転軸については、通常の備え付け式の回転軸を有する発電機及び電気モーターを当ててこの回転軸をベルト又は歯車等の方法で駆動軸と連動させる事については任意である。【０００７】  本考案の装置を、車輪の内側の位置から離れた駆動軸上に装着し、発電機及び電気モーターの駆動軸については、取込式又は備え付け式として駆動軸に連動させる事は任意である。【０００８】  また、発電機又は電気モーターの何れかを車輪の内側の位置から離れた駆動軸上に装着する事についても任意である。
【考案の効果】
【０００９】  本考案の装置は、自動車の発進当初においては、一般自動車の発進当初の状況と同様に駆動力に若干の負荷がかかる事はあっても、通常走行に入った段階ではこの支援駆動力の効果が期待される。【００１０】  本考案の装置は、あらゆる車両に装着する事が可能であり、ガソリンエンジン車のような車両に装着すれば一般的なハイブリッド装置として、また電気自動車に装着すればタンデム機関の電気自動車となり、これら自動車の走行距離の延長効果が期待される。【００１１】  また、電気自動車の駆動軸に発電機のみを取り付ければ、走行中におけるリチュウム電池等の充電が可能となる。【００１２】  本装置は、人間の力による駆動軸の回転運動であっても支援駆動力は発生するので、足踏式自転車のハイブリッド装置としても利用する事ができる。【００１３】  本考案は、自動車や自転車等の車両に限らず、これ以外においても支援駆動力発生装置として利用する事は可能である。
【図面の簡単な説明】
【００１４】
【図１】  本考案装置の、構成を示す正面の断面略図である。
【図２】  本考案装置の、構成を示す流れ図である。
【図３】  本考案装置の、支援駆動力発生の仕組みを示す流れ図である。
【考案を実施するための形態】
【００１５】  車輪の内側において、発電機及び電気モーターを一対とし、この各回転子の各回転軸については、駆動軸を取り込んでこれと連動する構造とし、これら発電機及び電気モーターにはそれぞれ配線接続端子を設け、この間に電気配線を施したことにより、駆動力が駆動軸に伝達されると同時に発電機で発電した電力は電気配線を通じて電気モーターに供給され、これで発生する自力回転力が支援駆動力となり、これを駆動軸に連動する事により自動車ハイブリッド装置となる。
【実施例】
【００１６】  以下、添付図面に従って一実施例を説明する。【００１７】  車輪１の内側において、発電機４及び電気モーター５を一対とし、この各回転子６の各回転軸については、駆動軸３を取り込み、この駆動軸３と連動する構造とする事により、【００１８】  駆動軸３並びに発電機４及び電気モーター５の三者は三位一体の連動態勢を整える。【００１９】  さらに発電機４及び電気モーター５にはそれぞれ配線接続端子７を設け、この間に電気配線２を施す。【００２０】  これにより駆動力が駆動軸３に伝達されると同時に、発電機４で発電した電力は電気配線２を通じて電気モーター５に供給され、このとき電気モーター５で発生する自力回転力が支援駆動力となり駆動軸３に連動する。【００２１】  このように、駆動軸３の回転、発電機４による発電、電気モーター５による支援駆動力の発生、そして再び駆動軸３の回転という循環作用により、支援駆動力を効率的に発生させる自動車ハイブリッド装置が成立する。
【符号の説明】
【００２２】１  車輪
２  電気配線
３  駆動軸
４  発電機
５  電気モーター
６  回転子
７  配線接続端子
【図１】
0003164331.tif 000003
【図２】
0003164331.tif 000004
【図３】
0003164331.tif 000005
(57)【要約】【課題】  蒸気機関車型の乗用玩具であって、実際の蒸気機関車が軌道のカーブを曲がる際に、車輪が左右に動いたりしないのと同じように、この玩具もハンドルを切った際にハンドルに連結した小型の操舵用回転車輪が左右いずれかに動き、動輪など機関車本来の車輪が左右に動くことなく曲がることができる乗用玩具を提供することを目的とする。【解決手段】  乗用玩具本体の底面で前輪と動輪との間に操舵用の小型の回転車輪を設け、この回転車輪をハンドルと連結してハンドルを左右に切る動きに応じて、見た目の機関車の車輪は左右に動かずともスムーズにカーブを曲がることができるようになっている蒸気機関車型の乗用玩具である。【選択図】図１
0003164334.tif 000002
【実用新案登録請求の範囲】
【請求項１】
蒸気機関車型乗用玩具本体の底面で前輪と１番目の動輪の間に操舵用の回転車輪を取り付け、この回転車輪を玩具本体上部のハンドルと連結した蒸気機関車型乗用玩具。
【考案の詳細な説明】
【技術分野】
【０００１】  本考案は、幼児が乗って遊ぶ蒸気機関車型乗用玩具に関し、玩具本体の前部にハンドル操作で左右に曲がることのできる操舵用の小径な回転車輪を取り付け、幼児が乗って遊ぶ際、ハンドルを左右いずれかに切れば、切った方向にスムーズに曲がることができるようにしたものである。
【背景技術】
【０００２】  これまでの蒸気機関車型乗用玩具は、蒸気機関車の特徴をとらえているものの、動輪の数を省いたものが多いのが実情である。また乗り物玩具としてハンドルを備えていても飾りだけのハンドルもあり、蒸気機関車のイメージを損なわずにハンドル操作で左右いずれにも曲がれるよう動作するものは少なかった。
【考案が解決しようとする課題】
【０００３】  通常、蒸気機関車型乗用玩具に実際の蒸気機関車と同じ数の回転する車輪、例えばＣ型蒸気機関車では前輪と後輪の間に３個の大きな動輪を、Ｄ型蒸気機関車では同じく４個の動輪をつけても、車輪と床との間の抵抗が大きいため、ハンドル操作で左右にうまく曲がることができなかった。さらに車輪が数多くついた蒸気機関車型乗用玩具で、ハンドルをきった際に前輪や動輪が曲がる方向に対応して動くのは、軌道上を走る蒸気機関車のイメージを損ない、本物と違うという違和感が生じていた。
【課題を解決するための手段】
【０００４】  本考案は、蒸気機関車型乗用玩具として車輪がたくさん装備されていても玩具本体の前部にハンドル操作で左右に曲がることのできる操舵用の小径な回転車輪を取り付けてスムーズに回れるようにしたものである。また、実際の蒸気機関車が軌道のカーブなどを曲がる際をイメージしても、蒸気機関車型乗用玩具の車輪自体は、自動車の前輪のように左右には動かないため、玩具本体の前部にハンドル操作で左右に曲がることのできる操舵用の小径な回転車輪を外部からは見えにくいように取り付けてこれを連結ロッドでハンドルと連結させ、ハンドルを切ることでこの操舵用回転前輪を左または右に動かし、他の多数の車輪の回転を利用してカーブを曲がれるようにしたものである。また乗用玩具として、より滑らかに動くことができるよう、玩具前部の回転車輪と後輪にはゴム又はウレタン製のタイヤを取り付けた。
【考案の効果】
【０００５】  上記のようにハンドルと直結した小径な回転車輪をかくし車輪的に玩具本体の前部に設けることにより、見かけ上蒸気機関車とほぼ同じ動きをすることができ、幼児が車輪の摩擦の抵抗を感じることなく遊ぶことができる。
【図面の簡単な説明】
【０００６】
【図１】本考案の実施例における蒸気機関車型乗用玩具の側面図である。
【図２】本考案の実施例において回転する車輪にＯリングをはめこんだ正面図である。
【考案を実施するための形態】
【０００７】  以下、図面に基づき本考案を詳しく説明する。
図１は動輪を３個備えたＣ型蒸気機関車を模した乗用玩具であり、これは木製で機関車本体と車輪の全部が作られていて、その表面はバーニング（火炎）処理とその後の磨きだしによって茶褐色または黒褐色に彩色されていて蒸気機関車の雰囲気を持たせている。図中、１は前輪であり、２は３個の大径な動輪、３は後輪である。４は前輪１と１番目の動輪２との間に設けた操舵用の小径な回転車輪であり、これは動輪２を駆動するピストンのシリンダー５で外側の半分程度が覆われ、目立たなく設けられている。これら全ての車輪は、軸受６で支えられた軸７の左右端部に取り付けられ前後方向に回転する。操舵用の小径な回転車輪４は、連結ロッド（図示せず）で玩具本体９のほぼ中央上部に設けられた曲がるためのハンドル１０と連結されていて、ハンドル１０を左または右に切れば車輪４がそれに応じて左右に回りカーブが切れるようになっている。図２に示すように車輪のうち操舵用の小径な回転車輪４と後輪３をゴム又はウレタン製の車輪にすると、強度と耐久性が増し、円滑に車輪が回るようになる。
自動車のように前輪１をハンドル１０に連結させ、ハンドルを切ると前輪が左右いずれかに回ってカーブが切れるようにすることもできるが、その場合、実際の蒸気機関車の動きと異なるので好ましくなく、本考案では実際の機関車の動きに近いものにした。
すなわち、前輪１と１番目の動輪２との間に小径な回転車輪４をかくし車輪的に設け、これをハンドルと連結させた。しかもこの回転車輪４部分には、ピストン駆動のシリンダー５を取り付けて横から見ても見えにくいようにしたので蒸気機関車のイメージを損なうことがほとんどなくできた。
【０００８】  このような玩具に幼児が乗って遊ぶ際、キャビン上にまたがりハンドル１０を手で握って足をけって玩具を前方に走らせると、地面（床面やカーペット）Ｇと前輪１、動輪２の抵抗が多く、スムーズに車輪が動くことができないことがある。このため、かくし車輪的に取り付けた回転車輪４および後輪３の軸７と軸受６との隙間であるクリアランスを０．４ｍｍ、前輪１および動輪２の軸７と軸受６との同クリアランスを３ｍｍもたせた。
こうして、軸７と軸受６との間にクリアランスをつけた車輪、特に回転車輪４および後輪３は、玩具本体に幼児が乗ることで荷重が加えられて地面Ｇに確実に接地する。もちろん前輪１および３個の動輪２も設置するが、軸７と軸受６の間のクリアランスが２．６ｍｍあって軸上方への隙間が生じることにより、万が一、幼児が多数ある動輪２の間に指を挟もうとも、その隙間があそびとなって、指が抜けやすくなる。又、遊ぶ際のカチャカチャとなる金属音が心地よいものとなった。
また、前輪１と３個の動輪２は地面Ｇに対して車輪の重量のみがかかるだけであるので走行時の抵抗が少なくなり、幼児にとって乗りやすい玩具となる。
もちろん後輪３とかくし車輪的回転車輪４は、幼児の重量と玩具本体の重量の両方を支えることになる。
【０００９】  さらに車輪３、４の端面（周面）に、Ｏリングを自動車のタイヤのようにはめれば、この玩具を走らせてもフローリングなどの床を傷つけないようにできる。
【符号の説明】
【００１０】  １  前輪
２  動輪
３  後輪
４  かくし車輪
５  シリンダー
６  軸受（パイプ）
７  軸
８  Ｏリング
９  玩具本体
１０  ハンドル
【図１】
0003164334.tif 000003
【図２】
0003164334.tif 000004
(57)【要約】【課題】プラスチック採光板構造の提供。【解決手段】プラスチック採光板構造は、上板２１と下板２２間に備える連接リブ２３は、ある傾斜角度を備えて設置し、しかも遮光性を備え、これによりプラスチック採光板２０は遮光機能を備え、しかも相互に隣接する連接リブ２３間の間隙は、光線を通過させられるため、プラスチック採光板２０は採光性をも備える。【選択図】図２
0003164367.tif 000002
【実用新案登録請求の範囲】
【請求項１】
上方に位置する上板、下方に位置する下板、前記上、下板間に連結する複数の連接リブを備え、前記上、下板は、光透過性を備え、
前記連接リブは、遮光性を備え、ある傾斜角度を備えて設置し、相互に隣接する前記連接リブ間の間隙は、ある傾斜角度を備える光透過チャンネルを構成することを特徴とするプラスチック採光板構造。
【請求項２】
前記上、下板は、透明性を備え、
前記連接リブは、色を持つことを特徴とする請求項１に記載のプラスチック採光板構造。
【請求項３】
前記相互に隣接する連接リブの排列において、前記後連接リブと前記上板の連接点、前記前連接リブと前記下板との連接点は、それぞれ同一垂直線上に位置することを特徴とする請求項１或いは２に記載のプラスチック採光板構造。
【請求項４】
前記連接リブは、平面であることを特徴とする請求項３に記載のプラスチック採光板構造。
【請求項５】
前記連接リブは、弧状であることを特徴とする請求項３に記載のプラスチック採光板構造。
【考案の詳細な説明】
【技術分野】
【０００１】
本考案はプラスチック採光板構造に関し、特に採光性を備え、遮光性を備えるプラスチック採光板構造に関する。
【背景技術】
【０００２】
従来の中空のプラスチック採光板構造は、図１に示すように、上方に位置する上板１０、下方に位置する下板１１、上、下板１０、１１間に連結し、垂直方向に設置する複数の連接リブ１２により組成する。
従来の中空のプラスチック採光板構造は、軽量であるため幅広く応用されており、遮光板としても使用されるが、良好な採光性を得るため、上、下板１０、１１、連接リブ１２はすべて、光透過性を備えるＰＣ材質により一体成型される。
【０００３】
しかし、光透過性を備えるため、車庫の屋根などに用いると、プラスチック採光板の下方では、昼間は陽光が差し込み、採光板下にいる人は非常な暑さを感じ、これが最大の欠点である。
本考案は、従来のプラスチック採光板構造の上記した欠点に鑑みてなされたものである。
【考案の概要】
【考案が解決しようとする課題】
【０００４】
本考案が解決しようとする課題は、採光性を備え、遮光性を備えるプラスチック採光板構造を提供することである。
【課題を解決するための手段】
【０００５】
上記課題を解決するため、本考案は下記のプラスチック採光板構造を提供する。
プラスチック採光板構造は、上板と下板間に備える連接リブは、ある傾斜角度を備えて設置し、しかも遮光性を備え、
これにより、プラスチック採光板は遮光機能を備え、しかも相互に隣接する該連接リブ間の間隙は、光線を通過させられるため、プラスチック採光板は採光性をも備える。
【考案の効果】
【０００６】
本考案のプラスチック採光板構造は、採光と遮光の機能を兼ね備え、従来のプラスチック採光板に比べ、高い実用性と進歩性を備える。
【図面の簡単な説明】
【０００７】
【図１】従来のプラスチック採光板構造の断面図である。
【図２】本考案第一実施例の構造断面図である。
【図３】本考案第二実施例の構造断面図である。
【図４】本考案第三実施例の構造断面図である。
【図５】本考案第四実施例の構造断面図である。
【図６】本考案第五実施例の構造断面図である。
【考案を実施するための形態】
【０００８】
以下に図面を参照しながら本考案を実施するための最良の形態について詳細に説明する。
【０００９】
本考案プラスチック採光板構造の断面図である図２に示すように、本考案プラスチック採光板構造は、上板２１、下板２２、複数の連接リブ２３を備える。
【００１０】
上板２１は、光透過性を備えるプラスチック材質により構成し、光透過性、透明性を備える。
下板２２は、光透過性を備えるプラスチック材質により構成し、光透過性、透明性を備える。
複数の連接リブ２３は、上板２１と下板２２との間に連接し、遮光性を備えるプラスチック材質により構成し、遮光性を備える。
【００１１】
複数の連接リブ２３は、ABS樹脂、或いはPET樹脂などにより構成し、成型時に着色する。
複数の連接リブ２３は、ある傾斜角度を備えて設置し、相互に隣接する２個の連接リブ２３の間の間隙は、ある傾斜角度を備える光透過チャンネル２３０を構成する。
相互に隣接する２個の連接リブ２３の排列において、後連接リブ２３と上板２１の連接点A、前連接リブ２３と下板２２との連接点Bは、それぞれ同一垂直線上に位置する。
【００１２】
使用時に、プラスチック採光板２０に陽光が照射しても、遮光性を備える連接リブ２３に遮蔽され、光線は相互に隣接する連接リブ２３間の光透過チャンネル２３０を通過する。
こうして、プラスチック採光板２０は、遮光性を備えながら、採光性をも備えることができる。
【００１３】
さらに図３、４、５に示すように、傾斜角度を持たせて連接リブ２３を設置するため、プラスチック採光板２０が必要な強度に応じて調整することができる。
傾斜角度が大きければ、連接リブ２３の数はより多くなり、密度が高くなるため、プラスチック採光板２０の強度も増強される。
連接リブ２３は平面に設置する他に、図６に示すように、弧状に設計することもできる。
【００１４】
上記したように、本考案のプラスチック採光板２０は、採光と遮光の機能を兼ね備え、従来のプラスチック採光板１０に比べ、高い実用性と進歩性を備える。
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１７】
１０  上板
１１  下板
１２  連接リブ
２０  プラスチック採光板
２１  上板
２２  下板
２３  連接リブ
２３０  光透過チャンネル
A、B  連接点
【図１】
0003164367.tif 000003
【図２】
0003164367.tif 000004
【図３】
0003164367.tif 000005
【図４】
0003164367.tif 000006
【図５】
0003164367.tif 000007
【図６】
0003164367.tif 000008
(57)【要約】【課題】掬い部の表面にご飯粒が付着しにくいしゃもじを提供する。【解決手段】アルミニウム合金製であって、掬い部１の表面にご飯粒が付着しにくくするためのフッ素樹脂層を設けたものとしている。柄部２の短尺方向の断面が凹状に湾曲しているものとすることができる。また、ジュラルミン製とすることができる。【選択図】図１
0003164364.tif 000002
【実用新案登録請求の範囲】
【請求項１】
アルミニウム合金製であって、掬い部（１）の表面にご飯粒が付着しにくくするためのフッ素樹脂層を設けたことを特徴とするしゃもじ。
【請求項２】
柄部（２）の短尺方向の断面が凹状に湾曲している請求項１記載のしゃもじ。
【請求項３】
ジュラルミン製である請求項１又は２記載のしゃもじ。
【考案の詳細な説明】
【技術分野】
【０００１】
この考案は、ご飯を掬い取るためのしゃもじに関するものである。
【背景技術】
【０００２】
一般的に使用されているしゃもじは、ご飯を掬い取ると、ご飯粒が掬い部（柄の一端側の拡幅した部分）の表面に付着したままになることが多く、そのため、特許文献１に記載のような、掬い部の表面に凹凸を設けてご飯粒が付着しにくくしたものが考案された。
【０００３】
しかし、特許文献１に記載のようなしゃもじでも、まだ十分にご飯粒が付着することを防止することはできず、かえって凹凸間に付着したご飯粒を除去しにくくなるという問題があった。
【先行技術文献】
【特許文献】
【０００４】
【特許文献１】実開平６−２４６５６号公報
【考案の概要】
【考案が解決しようとする課題】
【０００５】
そこで、この考案は、掬い部の表面にご飯粒が付着しにくいしゃもじを提供することを課題とする。
【課題を解決するための手段】
【０００６】
前記課題を解決するため、この考案は次のような技術的手段を講じている。
【０００７】
この考案のしゃもじは、アルミニウム合金製であって、掬い部１の表面にご飯粒が付着しにくくするためのフッ素樹脂層を設けたものとしている。
【０００８】
柄部２の短尺方向の断面が凹状に湾曲しているものとすることができる。
また、ジュラルミン製とすることができる。
【考案の効果】
【０００９】
この考案のしゃもじは、上述のような構成を有しており、掬い部１の表面がフッ素樹脂層によりご飯粒が付着しにくくなっている。
【００１０】
柄部２の短尺方向の断面が凹状に湾曲しているものとすれば、柄が指にフィットしやすくなり、使い勝手がよくなる。
【図面の簡単な説明】
【００１１】
【図１】この考案の実施形態のしゃもじの斜視図である。
【図２】この考案の実施形態のしゃもじの正面図である。
【図３】この考案の実施形態のしゃもじの平面図である。
【図４】この考案の実施形態のしゃもじの右側面図である。
【図５】この考案の実施形態のしゃもじの左側面図である。
【図６】図２のＡ−Ａ線拡大断面図である。
【図７】図４のＢ−Ｂ線断面図である。
【考案を実施するための形態】
【００１２】
以下、この考案の好適な実施形態を、図面を参照して説明する。
【００１３】
図１に示したように、このしゃもじは、柄部２の一端側に拡幅した掬い部１を有するものであり、全体をアルミニウム合金製としている。
【００１４】
このしゃもじは、掬い部１が柄部２より拡幅した長方形ないし楕円形のような形状であり、その後端に柄が直線状に延びる態様のものとしている。全体の厚みは２．５ｍｍ程度、掬い部１は最大幅が６〜７ｃｍ程度、柄部２は幅（短尺方向）が２〜３ｃｍ程度で一定で、長さが１０ｃｍ程度とすればよいが、これに限定されない。
【００１５】
しゃもじ全体は、板状のアルミニウム合金をプレス成型すること等により作成することができる。柄部２の後端付近には孔を設けてフック等でつりさげられるようにするとよい。アルミニウム合金は、ジュラルミンとすることができるが、後述のフッ素樹脂層の形成の際に熱で変形せず、安全性に問題のないものであればこれに限定されない。
【００１６】
このしゃもじの表面には、フッ素樹脂層が形成されている。フッ素樹脂層は、しゃもじの表面をブラスト処理して微細な凹凸を形成し、フッ素樹脂(４フッ化エチレン樹脂)を吹き付け、焼成することにより形成される。フッ素樹脂層は、掬い部１の表面（ご飯を掬い取る面）に形成されていればよい。
【００１７】
図示したように、このしゃもじの掬い部１は、表面が凹状になるように湾曲しており、これに接続する柄部２も、短尺方向の断面が凹状に湾曲した形状となっている。掬い部１の凹状の湾曲は、中央部が最も深く、掬い取ったご飯が安定して保持できるようになっていることが望ましい。柄部２の凹状の湾曲は、全長にわたってほぼ一定に湾曲した形状であり、握ったときに親指がフィットするようになっていることが望ましい。
【００１８】
特に、掬い部１と柄部２が接続する部分は、柄部２側から掬い部１に向かって拡幅しつつ、親指のあたり心地がよくなるようになだらかに傾斜することが望ましい。
【００１９】
図７にあらわれているように、掬い部１は、長尺方向に関しても湾曲した形状であり、掬い部１の長尺方向の中央付近で、勾配がゼロ（柄部２の勾配と同じ）になるようにしている。
【００２０】
このしゃもじは、アルミニウム合金製であるため軽量で、湾曲しているため強度があり、また、親指を凹状の柄に掛けて使用することができるので、極めて使い勝手のよいものとなっている。
【００２１】
そして、掬い部１の表面は、凹凸のない平滑な面でも、フッ素樹脂層によりご飯粒が付着しにくくなっているので、洗浄が容易で、清潔な状態を保ち続けることができる。
【００２２】
以上がこの考案の好適な実施形態であるが、この考案は上述の実施形態の構成に限定されるものではなく、形状、寸法、材質等を適宜変更して実施することができる。
【符号の説明】
【００２３】
１  掬い部
２  柄部
【図１】
0003164364.tif 000003
【図２】
0003164364.tif 000004
【図３】
0003164364.tif 000005
【図４】
0003164364.tif 000006
【図５】
0003164364.tif 000007
【図６】
0003164364.tif 000008
【図７】
0003164364.tif 000009